(57)【要約】【課題】  公知のモジュラー分配器に比べ著しく部品点数を削減する、特に、部品としてのインシュレータを不用としたモジュラー分配器の構造を提案し、この構造によって、加工手間，組立手間をきわめて少なくすることができるのみならず、簡潔な構造ゆえに電気的安定性が高く、故障し難いモジュラー分配器を提供すること。【解決手段】  上面にロックレバー２を有し、かつ、先端下面にプラグ側端子５を有するブロック状のプラグ側本体１と、該プラグ側本体１の背面に結合され、かつ、ソケット口10，11が上下に並んで配置されたソケット側本体８とを備え、曲げ加工した単線導電体７を、その導電体７の曲げ部位がプラグ側端子５に接続されると共に導電体７の先端側がソケット側端子7b，7cとなるように、前記プラグ側本体１とソケット側本体８の内部に配設したこと。【選択図】図３
2008052987.tif 000002
【特許請求の範囲】
【請求項１】
上面にロックレバーを有し、かつ、先端下面にプラグ側端子を有するブロック状のプラグ側本体と、該プラグ側本体の背面に結合され、かつ、ソケット口が上下に並んで配置されたソケット側本体とを備え、曲げ加工した単線導電体を、その導電体の曲げ部位がプラグ側端子に接続されると共に導電体の先端側がソケット側端子となるように、前記プラグ側本体とソケット側本体の内部に配設したことを特徴とするモジュラー分配器。
【請求項２】
上面にロックレバーを有するブロック状のプラグ側本体であって、該プラグ側本体が、ソケット側本体の背面に突出させて設けた結合用ビームが密に挿入されるビーム挿入穴と、当該プラグ側本体の背面にソケット側本体の背面と結合されるソケット側本体との結合部を具備していること、
ソケット側本体は、その背面に設けた前記結合用ビームと当該ソケット側本体の正面側であって前記ビームに関して上下に配した２つのソケット口と、ソケット側コンタクトに形成された単線導電体の支持部を各ソケット口の底側に具備していること、
プラグ側本体とソケット側本体に接ぎ目のない単線導電体を保持させ、この単線導電体がプラグ側のコンタクトに接続されると共にソケット側のコンタクトに形成されていること、
を特徴とするモジュラー分配器。
【請求項３】
ロックレバーはプッシュロッドを一体に備えた請求項１又は２のモジュラー分配器。
【請求項４】
ソケット側本体の背面に突出させて設けられた結合用ビームが密に挿入されるビーム挿入穴と、当該プラグ側本体の背面にソケット側本体の背面と結合されるソケット側本体との結合部と、前記挿入穴の先端部にプラグ側コンタクトを具備したプラグ側本体に、背面に設けた前記結合用ビームと当該ソケット側本体の正面側であって前記ビームに関して上下に配した２つのソケット口と、ソケット側コンタクトに形成される単線導電体の支持部を各ソケット口の底側に具備したソケット側本体を、前記結合用ビームをその挿入穴に密挿して結合一体化するとき、プラグ側本体とソケット側本体に形成した前記支持部に接ぎ目のない単線導電体を保持させて前記両本体を結合一体化し、前記単線導電体をプラグ側のコンタクトに接続すると共にソケット側のコンタクトに形成することを特徴とするモジュラー分配器の製造方法。
【発明の詳細な説明】
【技術分野】
【０００１】
本発明は電話回線などで用いられているモジュラージャックの分配器（以下、モジュラー分配器という）に関する。具体的には、従来のモジュラー分配器の構造を簡素化して部品点数を減らし、また、組立て工程を少なくして安定な品質の製品を提供することが出来るモジュラー分配器に関する。
【背景技術】
【０００２】
モジュラー分配器は、単口のモジュラーソケットに一頭のモジュラープラグを差込んだとき、当該プラグの背面に少なくとも２口のモジュラーソケットが配置された形態を採る分配器である。モジュラー分配器は、モジュラーソケットの受入口が一口しかなくても、モジュラー分配器を使用すると、少なくとも二口のモジュラーソケットとして利用することができるという利点があることにより、電話回線，DVDレコーダ，デジタルチューナなどの分野で多用されている。
【０００３】
しかし、従来公知のモジュラー分配器は、図５〜図７により説明するように、部品点数が多く、その結果、加工工程，組立工程とも工程数が多く、自動加工や自動組立になじまない。
【０００４】
図５は、公知のモジュラー分配器の組立状態の断面図である。図５において、Ａはロックレバーａを上面に有するプラグ側本体、Ｂは前記プラグ側本体Ａの背面側に横並びに形成された二口のモジュラーソケットのカバー、C1，C2は前記ソケットカバーＢの内部に配置されたコンタクト（接触子）の支持体で、ブロック状絶縁体によって形成されたインシュレータである。
【０００５】
ここで、プラグ側本体Ａの内部には、１本の線を２つ折りして２本にした被覆線Ｄが埋設され、該被覆線Ｄに接続されたコンタクトＥがプラグ本体Ａの下面側に設けられている。
一方、前記被覆線Ｄの両端部は被覆を剥いで裸にし、プラグ側本体Ａの背面側のソケットに配置される２個のインシュレータC1，C2に夫々に埋設された裸線F1，F2の後端に、圧着端子c1，c2によって接続されている。
【０００６】
そして、先端側をコンタクトC1，C2に形成した裸線F1，F2を埋設支持した２つのインシュレータC1，C2は、ソケット側においてソケット口を備えたソケットカバーＢによりカバーされつつ支持され、二口のモジュラーソケットSmに形成されている。なお、ｂはロックレバーａを押下げるための押下げロッドである。
【０００７】
次に、上記の公知モジュラー分配器における被覆線Ｄと２本の裸線F1，F2と圧着端子c1，c2と２つのインシュレータC1，C2は、図６(a)〜(f)の工程図に例示する形態で組立てられるので、この点について述べる。
【０００８】
真直な被覆線Ｄは両端部の被覆を剥いで芯線d1，d2を露出させる。両端の露出芯線d1，d2に、夫々に短か目の裸線F1，F2を端面同士で対面させ、前記芯線d1，d2と裸線F1，F2を、圧着端子c1，c2でクランプすることにより接続する（図６(a)，(b)参照）。CLは工具のクランパーである。
【０００９】
圧着端子c1，c2で接続した両端の裸線F1，F2を、それぞれインシュレータC1，C2の中に通し、インシュレータC1，C2から突出している部分を上方に折曲して折曲部より先をソケット側のコンタクトに形成する（図６(c)〜(e)参照）。
【００１０】
この後、被覆線Ｄを中間部で２つ折りし（図６(f)参照）、この状態でカバーＢをしていないプラグ側本体Ａの中に、２つ折り部分の被覆線Ｄを挿入する（図７参照）。ここで、プラグ側のコンタクトＥを下から差込んで挿入した被覆線Ｄと接続する。一方、２つのインシュレータC1，C2をプラグ側本体Ａの背面側に横並びにして配置し、ソケットカバーＢを装着して図５に示す形態のモジュラー分配器に形成されている。
【００１１】
しかし、上述した公知のモジュラー分配器は、プラグ側本体Ａから２本の裸線F1，F2までの各部品のほか、押下げロッドｂや圧着端子c1，c2の部品も必要とするために部品点数が多く、また、被覆線Ｄとコンタクトになる２本の裸線FI，F2を圧着端子c1，c2でクランプして接続しなければならないという煩しさがあり、従って、加工手間や組立手間も、部品点数に比例して多くかかるという難点がある。
【００１２】
公知のモジュラー分配器における難点のうち、使用する線Ｄ，F1，F2を接続しなければならない難点に関しては、接続を必要としない単線で入力側（プラグ側）と出力側（ソケット側）のコンタクトを形成する技術が、特許文献１〜３などにより提案されている。
【特許文献１】特開平６−３３３６３２号公報
【特許文献２】特開平１０−２３３２５３号公報
【特許文献３】特開平１１−１４９９７２号公報
【発明の開示】
【発明が解決しようとする課題】
【００１３】
そこで本発明では、公知のモジュラー分配器に比べ著しく部品点数を削減する、特に、部品としてのインシュレータを不用としたモジュラー分配器の構造を提案し、この構造によって、加工手間，組立手間をきわめて少なくすることができるのみならず、簡潔な構造ゆえに電気的安定性が高く、故障し難いモジュラー分配器を提供することを、その課題とする。
【課題を解決するための手段】
【００１４】
上記課題を解決することを目的としてなされた本発明モジュラー分配器の構成は、上面にロックレバーを有し、かつ、先端下面にプラグ側端子を有するブロック状のプラグ側本体と、該プラグ側本体の背面に結合され、かつ、ソケット口が上下に並んで配置されたソケット側本体とを備え、曲げ加工した単線導電体を、その導電体の曲げ部位がプラグ側端子に接続されると共に導電体の先端側がソケット側端子となるように、前記プラグ側本体とソケット側本体の内部に配設したことを特徴とするものである。
【００１５】
本発明モジュラー分配器のより具体的な構成は、
上面にロックレバーを有するブロック状のプラグ側本体は、ソケット側本体の背面に突出させて設けられた結合用ビームが密に挿入されるビーム挿入穴と、当該プラグ側本体の背面にソケット側本体の背面と結合されるソケット側本体との結合部と、前記挿入穴の先端部にプラグ側コンタクトを具備していること、
ソケット側本体は、プラグ側コンタクトに接続される単線導電体の支持部を備えて当該ソケット側本体の背面に設けた前記結合用ビームと当該ソケット側本体の正面側であって前記ビームに関して上下に配した２つのソケット口と、ソケット側コンタクトに形成される単線導電体の支持部を各ソケット口の底側に具備していること、
プラグ側本体とソケット側本体に形成した前記支持部に接ぎ目のない単線導電体を保持させて前記両本体を結合一体化し、前記単線導電体をプラグ側のコンタクトに接続すると共にソケット側のコンタクトに形成したこと、
を特徴とするものである。
【００１６】
また、上記構成を備えた本発明モジュラー分配器の製造方法は、ソケット側本体の背面に突出させて設けられた結合用ビームが密に挿入されるビーム挿入穴と、当該プラグ側本体の背面に設けてソケット側本体の背面と結合されるソケット側本体との結合部と、前記挿入穴の先端部にプラグ側のコンタクトを具備したプラグ側本体に、背面に設けた前記結合用ビームと当該ソケット側本体の正面側であって前記ビームに関して上下に配した２つのソケット口と、ソケット側のコンタクトに形成される単線導電体の支持部を各ソケット口の底側に具備したソケット側本体を、前記結合用ビームをその挿入穴に密挿して結合一体化するとき、プラグ側本体とソケット側本体に形成した前記支持部に接ぎ目のない単線導電体を保持させて前記両本体を結合一体化し、前記単線導電体をプラグ側のコンタクトに接続すると共にソケット側のコンタクトに形成することを特徴とするものである。
【発明の効果】
【００１７】
本発明モジュラー分配器は、上面にロックレバーを有し、かつ、先端下面にプラグ端子を有するブロック状のプラグ側本体と、該プラグ側本体の背面に結合され、かつ、ソケット口が上下に並んで配置されたソケット側本体とを備え、曲げ加工した単線導電体を、その導電体の曲げ部位がプラグ側端子に接続されると共に導電体の先端側がソケット側端子となるように、前記プラグ側本体とソケット側本体の内部に配設して構成されているので、部品点数が公知のモジュラー分配器に比べ少なく、特に、独立した部品としてのインシュレータを用いないので、加工工程及び組立工程が簡素化され、また、簡潔な構造であるから電気的安定度も高く、故障も少ない。
【発明を実施するための最良の形態】
【００１８】
次に本発明モジュラー分配器の実施の形態例について、図を参照して説明する。
図１は本発明モジュラー分配器の一例を正面のプラグ側から見た斜視図、図２は背面のソケット側から見た斜視図、図３は本発明モジュラー分配器の中央縦断側面図、図４(a)〜(e)は本発明モジュラー分配器の組立工程を説明するための側断面図である。
【００１９】
図１〜図４において、１は、上面にロックレバー２を一体に備えたプラグ側本体であり、ロックレバー２はプッシュロッド３（押下げロッド３）を一体に備えている。このプラグ側本体１には、その長さ方向に沿って、後述する結合用ビーム９が密挿される略水平な向きのビーム挿入穴４が形成されている。プッシュロッド３の上端は面状の押え部に形成されている。
【００２０】
ビーム挿入穴４の底面には、後に述べるコンタクトを形成する複数本の導電体７を保持する一例として６本の溝が形成されていると共に、手前側（図１(a)の左側）には下部に向け開放された開口部4aが形成され、該開口部4aに、プラグ側コンタクト５が埋設されている（図４(a)参照）。上記溝は少なくとも２本あれば足りる場合もある。
プラグ側本体１において、前記ビーム挿入穴４の入口側（プラグ側本体１の背面側）には、後述するソケット側本体８の背面に形成したプラグ結合部16と結合されるソケット結合部６が縦向きに形成されている。
【００２１】
７は、図４(b)の左端側の部位が上記のプラグ側本体１のコンタクト５に接続されるプラグ側の接続部位7aに形成されていると共に、図４（b）の右端側が、２本に形成されてソケット側本体８の内部において、ソケット側のコンタクト7b，7cに形成される丸棒状導線を曲げ加工した単線導電体である（図４(b)参照）。この導電体７は、設定されるコンタクトの数と同じ本数（図１，図２の例では４本）が使用される。
【００２２】
この導電体７は、１本の導線を曲げ加工し、図の左半側の上下で細幅な平行部位をビーム挿入穴４に入るプラグ側の接続部位7aに形成すると共に、２つ折りした当該導線の右半側を上下で幅広な横向き平行部に形成して、２本の導線がソケット側のコンタクト7b，7cとなる部位に形成されている（図４(b)参照）。
【００２３】
８は、背面（図４(c)の左側）に、プラグ側本体１に設けたビーム挿入穴４に密挿される結合用ビーム９を形成する一方、正面（図４(c)の右側）に、上下に並んだ２つのソケット口10，11を形成したソケット側本体である（図４(c)参照）。
【００２４】
上記のソケット側本体８において、12は結合用ビーム９の上方に形成したプッシュロッド３のサポート部、13，14は、ソケット口10の底10aとソケット口11の底11aの下に前記ビーム９と平行に形成したソケット側のコンタクト7bと7cが挿入配置される支持溝で、一例として６本の溝が平行に配置されている。15は結合用ビーム９の下方に形成したプラグ側本体１のソケット結合部６に結合されるプラグ結合部である。
【００２５】
図４(b)に示すように、プラグ側接続部7aとソケット側コンタクト7b，7c用の部位に１本の導線を曲げて形成された単線の導電体７は、コンタクト7b，7c用の部位を、ソケット口10と同11の底10aと11aに形成した６本の支持溝13と同14に、ここでは少なくとも２本或は４本を挿入することにより、上下に平行な形のプラグ側接続部7aによって結合用ビーム９を上下から挟む。この状態で結合用ビーム９がプラグ側本体１のビーム挿入穴４に挿入され、プラグ側本体１の背面の結合部６とソケット側本体８の背面に形成した結合部15を密着結合させ、プラグ側本体１とソケット側本体８とを結合一体化する（図４(d)参照）。導電体７はプラグ側とソケット側に設定されるコンタクトの数と同数が用いられる。
【００２６】
両本体１，８が結合一体化されると、上，下のソケット口10と11の底部からソケット側のコンタクト7b，7cになる部位が、当該ソケット口10と11の正面（図の右方）から外部に突出した状態になる（図４(d)参照）。
【００２７】
そこで導電体７の突出部分を、ソケット口10，11の底10a，11aの端部を境界として上方へ略90度曲げ起し（図４(d)参照）てから、略横向きＶ状をなすように曲げ加工することにより、２つのソケット口10，11が上下に並んだ本発明モジュラー分配器に形成される（図３参照）。
【００２８】
本発明モジュラー分配器は、２つのソケット口10，11が上下に並んで設けられている点を除いて、その用途，機能は、公知のモジュラー分配器と同様である。
【産業上の利用可能性】
【００２９】
本発明モジュラー分配器は以上の通りであって、図５〜図７により説明した公知のモジュラー分配器に比べ、(イ) プラグ側，ソケット側のコンタクトを含む接続導線が単線であること（公知例では、１本の被覆線と２本の裸線を使用）、(ロ) 従って、圧着端子が全く不用であること、(ハ) ソケット側端子を支持するためのインシュレータが全く不用であることによって、部品点数を大幅に削減することができる。
【００３０】
また、本発明モジュラー分配器は、部品点数が削減された結果、加工工程並びに組立工程が大幅に簡素化でき、また、部品点数がすくないので構造が簡潔であり、これが組立工程の簡素化に寄与するのみならず、性能，品質も安定化，均質化をもたらすという本発明固有の効果をもたらす。
【図面の簡単な説明】
【００３１】
【図１】本発明モジュラー分配器の一例を正面のプラグ側から見た斜視図。
【図２】本発明モジュラー分配器の一例を背面のソケット側から見た斜視図。
【図３】本発明モジュラー分配器の中央縦断側面図。
【図４】(ａ)〜(e)は本発明モジュラー分配器の組立工程を説明するための側断面図。
【図５】公知のモジュラー分配器の縦断側面図。
【図６】(a)〜(f)は公知のモジュラー分配器の製造工程における一部の工程図。
【図７】図５のモジュラー分配器の分解状態の断面図。
【符号の説明】
【００３２】
１        プラグ側本体
２        ロックレバー
３        プッシュロッド
４        ビーム結合穴
５        プラグコンタクト
６        プラグ側のソケット結合部
７        単線導電体
８        ソケット側本体
９        結合ビーム
10，11    ソケット口
12        プッシュロッド３のサポート
13，14    導電体を保持する溝
15        ソケット側のプラグ結合部
【図１】
2008052987.tif 000003
【図２】
2008052987.tif 000004
【図３】
2008052987.tif 000005
【図４】
2008052987.tif 000006
【図５】
2008052987.tif 000007
【図６】
2008052987.tif 000008
【図７】
2008052987.tif 000009